(57)【特許請求の範囲】
【請求項１】
ハカマ部材と、このハカマ部材内に下端部が挿入固定され上部には軸心方向の切り割り溝が形成された筒状の内筒部材と、この内筒部材の外周を回動可能に覆うラセン溝が形成されたラセン部材と、このラセン部材の外周を覆う外筒部材と、前記内筒部材内に上下移動可能に形成された皿部材と、この皿部材に形成された前記内筒部材の切り割り溝及び前記ラセン部材のラセン溝と係合する係合ピンとから構成され、皿部材及び皿部材上部に嵌合された口紅成形用カプセル内にハカマ部材の底部に設けられた底穴より加熱溶融された口紅を流し込んだ後冷却硬化させて口紅の充填とする構造の口紅収納容器において、内筒部材の切り割り溝の比較的上部に形成された切り割り溝と水平方向に連通し上端面を有する第１の係止溝と、ラセン部材のラセン溝と、皿部材の係合ピンで構成され、通常使用における皿部材の上昇を停止させることのできる第１の皿部材位置決め機構と、この内筒部材の第１の係止溝よりも上部に形成され、内筒部材の切り割り溝と水平方向に連通する第２の係止溝と、ラセン部材のラセン溝と、皿部材の係合ピンで構成され、口紅充填時にこの第１の皿部材停止機構よりさらに皿部材を上昇させ皿部材内部に充填された口紅の半分以上が外筒部材の外部まで位置させることのできる第２の皿部材位置決め機構が形成された事を特徴とする口紅収納容器。
【発明の詳細な説明】
【０００１】
【産業上の利用分野】
本発明は口紅収納容器に関するものであり、なかでも皿部材及び皿部材上部に嵌合された口紅成形用カプセル内にハカマ部材の底部に設けられた底穴より加熱溶融された口紅を流し込んだ後冷却硬化させて口紅の充填とする構造の口紅収納容器に関するものである。
【０００２】
【従来の技術】
従来の口紅収納容器はハカマ部材と、このハカマ部材内に下端部が挿入固定され軸心方向の切り割り溝が形成された筒状の内筒部材と、この内筒部材の外周を回動可能に覆うラセン溝が形成されたラセン部材と、このラセン部材の外周を覆う外筒部材と、前記内筒部材内に上下移動可能に形成された皿部材と、この皿部材に形成された前記内筒部材の切り割り溝及び前記ラセン部材のラセン溝と係合する係合ピンとから構成されていた。
【０００３】
【本発明が解決しようとする課題】
従来の口紅収納容器は口紅を充填する際には、皿部材及び皿部材上部に嵌合された口紅成形用カプセル内にハカマ部材の底部に設けられた底穴より加熱溶融された口紅を流し込んだ後、容器の外部より冷風を当てることによって溶融された口紅を急速に冷却硬化させている。
【０００４】
しかし皿部材は外筒部材及び内筒部材の内部に収納されていたので、充填された口紅を強制冷却する際に皿部材の外周まで冷風が届きにくく、それによって皿部材内部の加熱溶融された口紅は口紅成形用カプセル内部より硬化するのに時間がかかっていた。
【０００５】
このように口紅成形用カプセル内部と皿部材内部の硬化時間に差ができるとそれは硬化した口紅内部の密度の差となって現れ、口紅がもろくなってしまい、それによって口紅が折れやすくなってしまうという欠点があった。
【０００６】
さらに上記のような欠点を補うために皿部材を必要以上に外筒部材の外部へ突出する容器とした場合には皿部材にがたつきが生じてしまい使用者にとって使いにくい容器となってしまうという欠点があった。
【０００７】
本発明は以上のような従来の欠点に鑑み、通常の使用においては違和感が無く、加熱溶融された口紅を急速で均一な冷却をすることによって口紅内部の密度の差を生じさせない口紅収納容器を提供することを目的としている。
【０００８】
【課題を解決するための手段】
上記課題を解決するため、本発明は口紅収納容器において、通常使用における皿部材の上昇を停止させることのできる第１の皿部材位置決め機構と、口紅充填時にこの第１の皿部材停止機構よりさらに皿部材を上昇させ皿部材内部に充填された口紅の半分以上が外筒部材の外部まで位置させることのできる第２の皿部材位置決め機構で形成するという手段を用いている。
【０００９】
【作用】
皿部材が口紅充填時だけ外筒部材の外部まで突出できる構造としてあるので、皿部材の内部の溶融された口紅を効率よく急速に冷却することができるように作用している。
【００１０】
【発明の実施例】
以下、図面に示す実施例により本発明を詳細に説明する。
図１ないし図６に示す発明の実施例において、１はハカマ部材で、このハカマ部材１の上部には蓋嵌合部２が形成され、さらに底部には底穴２０が開孔されている。
【００１１】
３はこのハカマ部材１内に下端部が挿入固定された内筒部材で、この内筒部材３の底部は開孔され、さらに上部には軸芯方向の切り割り溝４が形成されている。
【００１２】
５はラセン部材で、このラセン部材５はほぼ全周に渡ってラセン溝６が形成され前記内筒部材３の切り割り溝４の外周を回動可能に覆うもので、筒状に形成され上端部が後記する外筒部材７の上端部内面に圧入固定されている。
【００１３】
７は前記ラセン部材５に係止された外筒部材で、この外筒部材７は前記内筒部材３に巻き締めなどによって抜け出し不能に係止されている。
【００１４】
８は皿部材でこの皿部材８は底部が開孔され棒状化粧品９を収納し前記内筒部材３内に上下移動可能に形成され、さらにこの皿部材８の外周には前記内筒部材３に形成された切り割り溝４及びラセン部材５のラセン溝６と係合する係合ピン１０が形成されそれによって内筒部材３とラセン部材５を回動させることによって皿部材８を内筒部材３内で上下移動させる繰り出し機構１１を形成している。
【００１５】
１２は前記ハカマ部材１の蓋嵌合部２と着脱自在に嵌合する蓋である。
【００１６】
このように構成された口紅収納容器１３は通常の使用においては、皿部材８を繰り出した場合には図２に示すように第１の皿部材位置決め機構１４によって通常使用における上端部まで、一般に市販されている口紅容器ではこのときに皿部材８の上端部は外筒部材７の上端部よりも１ミリメートルないし２ミリメートル上方まで突出するように設計されているが、本発明もこれと同様の位置まで上昇して停止する。
【００１７】
この第１の皿部材位置決め機構１４は図２に示すように内筒部材３の切り割り溝４の比較的上部の皿部材８が上昇時に皿部材８の係合ピン１０がラセン部材５のラセン溝６によって押し付けられる側に形成された切り割り溝４と水平方向に連通する上端面１６を有する第１の係止溝１５と、ラセン部材５のラセン溝６と、皿部材８の係合ピン１０で構成され、外筒部材７およびラセン部材５の回動によって皿部材８は上昇するが、皿部材８の係合ピン１０が内筒部材３の第１の係止溝１５へ導かれ係止溝１５の上端面１６によって上昇が阻止されることにより通常使用における皿部材８の上昇を停止させることのできるように構成されるものである。
【００１８】
図３に示す状態は口紅の充填を行う場合にだけ使用される第２の皿部材位置決め機構１７による位置関係を示すもので、この第２の皿部材位置決め機構１７は内筒部材３の第１の係止溝１５よりも上部に形成され、内筒部材３の切り割り溝４の上部に形成された切り割り溝４と連通する水平方向の第２の係止溝１８と、ラセン部材５のラセン溝６と、皿部材８の係合ピン１０が係合しあう事によって構成されるものであり、口紅充填時にこの第１の皿部材位置決め機構１４よりさらに皿部材８を上昇させ皿部材８内部に充填された口紅の半分以上が外筒部材７の外部まで位置させることのできるものである。
【００１９】
第１の皿部材位置決め機構１４による皿部材８の位置から第２の皿部材位置決め機構１７による皿部材８の位置まで皿部材８を移動させるのは、皿部材８を第１の係止溝１５が形成されたのとは反対方向に、ジグなどによって、皿部材８の係合ピン１０が係止溝１５より外れる位置まで回転させ、外筒部材７の上端より回転させ、皿部材８を外力によって引っ張り上げる、あるいはハカマ部材１の底面の底穴２０より皿部材８をジグなどで押し上げることによって移動させることができる。
【００２０】
図４は口紅を充填する状態を示すもので、このように皿部材８を第２の皿部材位置決め機構１７によって位置される場所まで移動させ、皿部材８の上端部に口紅成形用カプセル１９を嵌合させ、全体を倒立させ、ハカマ部材の底部の底穴２０より加熱溶融されて液状となった口紅９を充填機のノズル２１より口紅成形用カプセル１９及び皿部材８内部へ流し込むという行程によって充填する。
【００２１】
その後口紅成形用カプセル１９及び皿部材８の外周より冷風を当てて冷却し液状となっていた口紅を冷却固化させるものであるが、冷風が内筒部材３の内部までは入り込みにくいので、前工程で充填される液状口紅は皿部材８の内部で外筒部材７の上端部よりも内側には充填しない方が効率がよく、したがって皿部材８の内部に充填された口紅９の少なくとも半分以上は外筒部材７の外部まで位置させるようにする。
【００２２】
しかるのち、口紅成形用カプセル１９を皿部材８より取り外し、繰り出し機構１１によって皿部材８を外筒部材７内へ収納することによって充填が完了する。
【００２３】
【発明の効果】
本発明は以上説明したように構成されているので、以下に記載されるような効果を奏する。
【００２４】
（１）口紅成形用カプセル内部と皿部材内部の急速冷却が可能であり、かつ硬化時間に差ができるということがなく、硬化した口紅内部の密度の差が生じないので口紅がもろくなってしまうという事がない。それによって口紅が折れやすくなってしまうというということがない。
【００２５】
（２）通常の口紅と使用状態が変わらないので、使用者にとって使いづらいということがない。また、皿部材にがたつきが生じるということもない。
【図面の簡単な説明】
【図１】  発明の実施例を示す断面図である。
【図２】  皿部材が第１の皿部材位置決め機構に位置するときの断面図である。
【図３】  皿部材が第２の皿部材位置決め機構に位置するときの断面図である。
【図４】  紅を充填する状態の断面図である。
【図５】  ラセン部材の斜視図である。
【図６】  内筒部材の斜視図である。
【符号の説明】
１  ハカマ部材
２  蓋嵌合部
３  内筒部材
４  切り割り溝
５  ラセン部材
６  ラセン溝
７  外筒部材
８  皿部材
９  口紅
１０  係合ピン
１１  繰り出し機構
１２  蓋
１３  口紅収納容器
１４  第１の皿部材位置決め機構
１５  第１の係止溝
１６  上端面
１７  第２の皿部材位置決め機構
１８  第２の係止溝
１９  口紅成形用カプセル
２０  底穴
２１  ノズル
【図１】
0004117712.tif 000002
【図２】
0004117712.tif 000003
【図３】
0004117712.tif 000004
【図４】
0004117712.tif 000005
【図５】
0004117712.tif 000006
【図６】
0004117712.tif 000007